(57)【要約】【課題】浴槽裏面の限られたスペースの中で、断熱性、遮音性等の機能を有する機能性材料を有効に設けて、熱や音等の漏れの少ない浴室の壁パネルを提供する。【解決手段】平面を維持する強度を有する構造体と、取付後浴室内に露出する壁部分において上記構造体に施される表面材と、内部に設置される設備で隠蔽されて目視不能となる部分略全域において上記構造体に施され、上記構造体と上記表面材とを合わせた厚さより大きい厚さと、特有の機能を有する機能材とを備える。【選択図】  図１
2006176959.tif 000002
【特許請求の範囲】
【請求項１】
平面を維持する強度を有する構造体と、
取付後浴室内に露出する壁部分において上記構造体に施される表面材と、
内部に設置される設備で隠蔽されて目視不能となる部分略全域において上記構造体に施され、上記構造体と上記表面材とを合わせた厚さより大きい厚さと、特有の機能を有する機能材と、
を備えることを特徴とする浴室の壁パネル。
【請求項２】
前記機能材は、断熱材及び吸音材のいずれかであることを特徴とする請求項１記載の浴室の壁パネル。
【発明の詳細な説明】
【技術分野】
【０００１】
本発明は、浴室の壁パネルに係り、特に浴槽等により隠蔽されて目視不能となる部分に特有の機能を有する機能材を用いた浴室の壁パネルに関する。
【背景技術】
【０００２】
ユニットバス或いはシステムバスの構造は、大別するとハーフ構造とフルパン構造とに分けられる。前者は、洗い場付浴槽或いは洗い場一体型浴槽とも謂われ、架台の上に洗い場の床と浴槽とを一体で形成し、浴槽のリム上に壁パネルを立設するものである。後者は、床全面に架台を介して敷設された防水パン上に浴槽を載置し、壁パネルも防水パン外縁上に周設されるものである。
【０００３】
このフルパン構造では、図５（ａ）に示すように、浴槽１０３が載置された裏側に位置する壁パネル１０２は、人の目に触れることはない。にもかかわらず、通常の壁パネル１０２は防水パン１０１外縁上の下端から図示しない天井パネルに至る上端までが１枚のパネルで形成されるため、この浴室内から目視不能な部分Ｌも浴槽リム部１０３ａより上に位置し浴室内に露出する部分Ｕと同じ仕上げが施される。この仕上げ材１０２ａが、例えば人工又は天然大理石や、タイルである場合、見えない部分に高価な材料を使用することはコスト的に無駄であり、また、壁パネル自体が重量化して運搬、据付が重労働になってしまうという問題がある。
【０００４】
斯かる問題を解決するために、内部に設置される設備で隠蔽されて目視不能となる部分ほぼ全域の表面材として、室内に露出する他の壁部分に施される装飾性の表面板材よりも軽量な面材、例えば特殊石綿セメント板、珪酸カルシウム板もしくは防水処理を施した木板等を用いた衛生設備室の壁構造が知られている（例えば、特許文献１参照。）。
【特許文献１】実用新案登録第２５４５３７７号公報
【発明の開示】
【発明が解決しようとする課題】
【０００５】
ところで今、省資源・省エネルギーの観点から、或いは住宅部品から発生する環境負荷の低減の観点から、様々な対応が検討されるようになった。このような問題の一つである「省エネルギー」に対する取り組みの一つとして、浴槽に溜められた湯の温度低下の防止が挙げられる。これはエネルギーの無駄な放出を抑えるだけでなく、追い焚き等の余分なエネルギー消費を減少させ、家計の光熱費低減にも寄与するものである。
【０００６】
一方、生活レベルの向上に伴い、浴槽に例えば気泡発生装置を取り付けるケースも増加しているが、この場合、発生する振動、騒音を低減させる必要も生じる。
【０００７】
壁パネルを、これら断熱性能、遮音性能の向上に役立たせる方法としては、図５（ｂ）に示すように、仕上げ材１０２ａ上、及び／または、壁パネル１０２裏面（壁パネル１０２の建築壁Ｗ側）に断熱材１０４、或いは吸音材を貼り付けることがまず思いつく。
【０００８】
しかしながら、壁パネル１０２前面、すなわち浴室内側には、追い焚きアダプタやそれに接続される配管等があって、断熱材等を切り欠かねばならず、有効な厚さを確保することは困難である。また、壁パネル１０２後面は、浴室内のスペースをできるだけ広くするために、元々建築壁Ｗとの隙間が最小限に抑えられているので、厚さを増すことが困難なばかりか、熱源或いは騒音源と断熱材１０４、或いは吸音材との間に介在する壁パネル１０２により、熱或いは音が拡散されて著しく断熱性能、遮音性能が劣化する。
【０００９】
次に考えられるのが、特許文献１にある方法を応用して、内部に設置される設備で隠蔽されて目視不能となる部分ほぼ全域の表面材として、室内に露出する他の壁部分に施される装飾性の表面板材と異なる、断熱材、吸音材等の機能材を用いる方法である。しかしながら、断熱性能や遮音性能は、その厚さに大きく依存するため、単に材料を置き換えただけでは、十分な効果を得ることはできない。
【００１０】
本発明は、上述した事情を考慮してなされたもので、浴槽裏面の限られたスペースの中で、断熱性、遮音性等の機能を有する機能性材料を有効に設けて、熱や音等の漏れの少ない浴室の壁パネルを提供することを目的とするものである。
【課題を解決するための手段】
【００１１】
本発明に係る浴室の壁パネルは、上述した課題を解決するために、請求項１に記載したように、平面を維持する強度を有する構造体と、取付後浴室内に露出する壁部分において上記構造体に施される表面材と、内部に設置される設備で隠蔽されて目視不能となる部分略全域において上記構造体に施され、上記構造体と上記表面材とを合わせた厚さより大きい厚さと、特有の機能を有する機能材とを備えるものである。
【００１２】
ここで、前記機能材としては、例えば断熱材、或いは吸音材等を採用することができる。
【発明の効果】
【００１３】
本発明に係る浴室の壁パネルによれば、浴槽裏面の限られたスペースの中で、断熱性、遮音性等の機能を有する機能性材料を有効に設けることができる。
【発明を実施するための最良の形態】
【００１４】
本発明に係る浴室の壁パネルの第１の実施形態について、添付図面を参照して説明する。図１は、本発明に係る壁パネル１０が取り付けられた浴室ユニット１の部分縦断面図であり、図２は、壁パネル１単体の斜視図である。
【００１５】
この実施形態に示された浴室ユニット１は、図１に示すように、ＦＲＰ等の樹脂材によって一体的に形成された防水パン２と、この防水パン２の外縁上に周設された壁パネル１０及び出入り口を形成する図示しないドアと、同じく図示しない天井パネルと、浴槽３とを主要な要素として構成される。
【００１６】
壁パネル１０は、フレーム１１と、表面材１２と、機能材１３とを備える。フレーム１１は、外周を画するようにロ字型に組まれた金属製の中空角柱等で形成され、壁パネル１０が平面を維持できる強度を有する。本実施形態におけるフレーム１１は、本発明に係る構造体を構成する。
【００１７】
表面材１２は、壁パネル１０の略上半分の、壁パネル表面が浴室内に露出する部分Ｕのフレーム１１に取り付けられる。尤も、表面材１２は、後述する機能材１３が浴室内から目視不能となることを確実にするために、浴室内に露出する部分Ｕより下方へ若干延出される。この表面材１２は、例えば、珪酸カルシウム板に化粧鋼板やタイル等が貼着されたもの等である。
【００１８】
機能材１３は、壁パネル１０の略下半分の、壁パネル表面が浴室内から目視不能な部分Ｌのフレーム１１に取り付けられ、フレーム１２の三方の内周と表面材１２の下端とで形成される開口Ｏに嵌装される嵌装部１３ａと、壁パネル１０が防水パン２の外縁上に周設された状態において、この嵌装部１３ａから浴室内側に膨出する膨出部１３ｂとから成る。
【００１９】
機能材１３は、特有の機能を有する材料で形成され、例えば断熱のために用いられる発泡スチロールや発泡ポリプロピレン、グラスウール等の多孔質吸音材、繊維強化セメント板等の遮音材である。或いはこれらが積層されて形成されたものであってもよい。
【００２０】
このような機能性材料は、概ねその厚みが増すに従ってその特有の性能も向上する。そこで、本実施形態に係る機能材１３は、壁パネル１０と同じ厚さ（フレーム１１と表面材１２とを合わせた厚さ）の嵌装部１３ａの前方浴室側に、浴槽３の裏面近傍まで膨出する膨出部１３ｂを備えることにより、より大きい厚さを獲得している。これにより、十分な断熱性能や遮音性能が確保され、性断熱性能に関しては、浴槽３裏面から放射された浴槽３内に溜められた湯の熱が、外部に漏れることを防止することができ、遮音性能に関しては、気泡発生装置から発生する騒音が、外部に漏れることを防止することができる。
【００２１】
また、この機能材１３は、図１に示しように、壁パネル１０裏面と建築壁Ｗとの間隙に余裕がある場合は、建築壁Ｗ側にも突出させることも可能である。これにより、さらに厚みが増し、機能もさらに向上する。
【００２２】
なお、同図には図示しないが、防水パン２や浴槽３裏面、或いは浴槽３裏面を掩蔽する浴槽エプロン４裏面にも機能材を設けることにより、さらに機能は向上する。
【００２３】
次に、本発明に係る浴室の壁パネルの第２の実施形態について、添付図面を参照して説明する。図３は、本発明に係る壁パネル１０Ａが取り付けられた浴室ユニット１の部分縦断面図であり、図４は、壁パネル１Ａ単体の斜視図である。
【００２４】
本発明に係る構造体として、第１の実施形態におけるものがフレーム１１を採用するのに対し、本実施形態の壁パネル１Ａは、同図に示すように、リブで補強されたＦＲＰ製の下地材１４を採用する点で、基本的に相違する。
【００２５】
下地材１４は、繊維強化材を配合した熱硬化性プラスチック（ＦＲＰ）を用いて形成され、壁パネル１０の平面を構成する平面部１４ａと、この平面部１４ａ上に縦横に交差した複数の突条として突設され、平面を維持できるよう補強するリブ１４ｂとを備える。この下地材１４の材料として、ＦＲＰに代えて、シート状の不飽和ポリエステル樹脂成形材料であるシートモールディングコンパウンド（ＳＭＣ）を用いて圧縮成形法により形成されたものであってもよい。
【００２６】
本実施形態における下地材１４の平面部１４ａは、従来のものが壁パネルの全高全幅に亘り同一平面上にあるのと異なり、浴室内から目視不能な部分Ｌでは、浴室内に露出する部分Ｕより略リブ１４ｂの高さ分段落ちした位置に設けられる。すなわち、浴室内に露出する部分Ｕでは、平面部１４ａは、壁パネル１０の浴室側に設けられるのに対し、浴室内から目視不能な部分Ｌでは、壁パネル１０の建築壁Ｗ側に設けられる。
【００２７】
この平面部１４の浴室内に露出する部分Ｕには、表面材１２が施される。この表面材１２としては、タイル等が貼着されてもよいし、研磨された下地材１４上に塗装を施したものであってもよい。後者の場合、構造材と表面材とは一体化したものとなっている。
【００２８】
そして、機能材１３Ａは、浴室内から目視不能な部分Ｌの、浴室側に面するリブ１４ｂを嵌合可能な凹溝が縦横に設けられた嵌合部１３ａと、この嵌装部１３ａから浴室内側に膨出する膨出部１３ｂとから成る。
【００２９】
本実施形態に係る機能材１３Ａは、リブ１４ｂの高さと同じ厚さの嵌装部１３ａの前方浴室側に、浴槽３の裏面近傍まで膨出する膨出部１３ｂを備えることにより、より大きい厚さを獲得している。これにより、十分な断熱性能や遮音性能が確保され、性断熱性能に関しては、浴槽３裏面から放射された浴槽３内に溜められた湯の熱が、外部に漏れることを防止することができ、遮音性能に関しては、気泡発生装置から発生する騒音が、外部に漏れることを防止することが可能となる。
【００３０】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【００３１】
上述した実施形態では、壁パネルの構造体として、フレームを採用する場合と、ＦＲＰ板を採用する場合とについて説明したが、構造体はこれらに限られず、例えば、芯材に、室内側に面する表面材と、室外側に面する裏面材とが接着剤により貼着されて形成されたものであってもよい。表面材及び裏面材には、例えば化粧鋼板を用いることができ、芯材には、例えば石膏ボード、セメント板、珪酸カルシウム板或いは発泡樹脂製の板等を用いることができる。
【００３２】
また、機能材としては、上述した実施形態では、断熱材、吸音材、遮音材等を例に挙げたが、機能材もこれらに限られず、例えば、吸湿性の材料等であってもよい。
【図面の簡単な説明】
【００３３】
【図１】本発明の第１の実施形態に係る壁パネルが取り付けられた浴室の部分縦断面図。
【図２】第１の実施形態に係る壁パネル単体の斜視図。
【図３】本発明の第２の実施形態に係る壁パネルが取り付けられた浴室の部分縦断面図。
【図４】第２の実施形態に係る壁パネル単体の斜視図。
【図５】（ａ）は従来の壁パネルが取り付けられた浴室の部分縦断面図、（ｂ）はこの壁パネルに単純に機能材を付加した状態を示す図。
【符号の説明】
【００３４】
１  浴室ユニット
２  防水パン
３  浴槽
４  浴槽エプロン
１０，１０Ａ  壁パネル
１１  フレーム
１２  表面材
１３，１３Ａ  機能材
１３ａ  嵌装部
１３ｂ  膨出部
１４  下地材
Ｌ  浴室内から目視不能な部分
Ｏ  開口
Ｕ  浴室内に露出する部分
Ｗ  建築壁
【図１】
2006176959.tif 000003
【図２】
2006176959.tif 000004
【図３】
2006176959.tif 000005
【図４】
2006176959.tif 000006
【図５】
2006176959.tif 000007